(57)【要約】  特に浄水器用カートリッジのジョイントを保護することができ、さらに浄水器用カートリッジの交換が容易である汎用性の高いカートリッジホルダーと、これを備えるカートリッジ装置を提供する。配水管をそれぞれ連結可能な入水用及び出水用のジョイントを有する浄水器用カートリッジを保持するためのカートリッジホルダー（４０）である。浄水器用カートリッジを保持する保持部材（４１）と、保持部材（４１）によって浄水器用カートリッジを保持した状態で、前記ジョイント近傍の配水管を係止させる配水管係止部（カプラー係止部（４２ａ））と、保持部材（４１）を取り付けるための取付部（４３）と、を有する。
2015199145.tif 000002
【特許請求の範囲】
【請求項１】
配水管をそれぞれ連結可能な入水用及び出水用のジョイントを有する浄水器用カートリッジを保持するためのカートリッジホルダーであって、
前記浄水器用カートリッジを保持する保持部材と、
前記保持部材によって前記浄水器用カートリッジを保持した状態で、前記ジョイント近傍の配水管を係止させる配水管係止部と、
前記保持部材を取り付けるための取付部と、を有するカートリッジホルダー。
【請求項２】
前記配水管係止部が、切欠状になっている請求項１記載のカートリッジホルダー。
【請求項３】
前記取付部が、前記保持部材に設けられている請求項１又は２に記載のカートリッジホルダー。
【請求項４】
前記配水管係止部が、前記保持部材の一端側と他端側の双方に設けられている請求項１〜３のいずれか一項に記載のカートリッジホルダー。
【請求項５】
前記保持部材には、水受け部が設けられている請求項１〜４のいずれか一項に記載のカートリッジホルダー。
【請求項６】
前記取付部は、前記保持部材に対して着脱可能に設けられている請求項１〜５のいずれか一項に記載のカートリッジホルダー。
【請求項７】
前記取付部は、アンダーシンク内に取り付けられる請求項１〜６のいずれか一項に記載のカートリッジホルダー。
【請求項８】
前記配水管は、ホース及び前記ホースの端部に接続され前記ジョイントに連結可能なカプラーを備える請求項１〜７のいずれか１項に記載のカートリッジホルダー。
【請求項９】
前記配水管係止部は、前記カプラーを係止させる請求項８に記載のカートリッジホルダー。
【請求項１０】
前記配水管係止部は、前記ホースを保持することを特徴とする請求項８に記載のカートリッジホルダー。
【請求項１１】
前記配水管係止部は、前記配水管が前記配水管係止部に対して、前記ジョイントにおける前記配水管の方向に対して垂直に着脱可能に設けられている請求項１〜１０のいずれか１項に記載のカートリッジホルダー。
【請求項１２】
長さ方向（Ｌ）と径方向（ｄ）の比Ｌ／ｄが２〜５である請求項１〜１１のいずれか１項に記載のカートリッジホルダー。
【請求項１３】
前記水受け部は、前記保持部材の一端または両端に着脱可能に設けられている請求項１〜１２のいずれか１項に記載のカートリッジホルダー。
【請求項１４】
前記保持部材には、前記カートリッジを固定するためのカートリッジ固定バンドが着脱可能に設けられている請求項１〜１３のいずれか１項に記載のカートリッジホルダー。
【請求項１５】
前記配水管係止部は、前記保持部材に対して着脱可能に設けられている請求項１〜１４のいずれか１項に記載のカートリッジホルダー。
【請求項１６】
前記配水管係止部は、前記保持部材に対して、高さ方向の位置を調整可能に設けられてなる請求項１〜１５のいずれか１項に記載のカートリッジホルダー。
【請求項１７】
前記配水管係止部は、前記切欠状の内径が３０〜９５ｍｍの大きさを有する請求項１〜１６のいずれか１項に記載のカートリッジホルダー。
【請求項１８】
入水用及び出水用のジョイントを有する浄水器用カートリッジと、
前記ジョイントに連結されるカプラーと、
請求項１〜１７のいずれか一項に記載のカートリッジホルダーと、を備え、
前記カートリッジホルダーに前記浄水器用カートリッジが着脱可能に保持されてなるカートリッジ装置。
【発明の詳細な説明】
【技術分野】
【０００１】
本発明は、カートリッジホルダー及びカートリッジ装置に関する。
本願は、２０１４年６月２４日に日本に出願された特願２０１４−１２９２９７号に基づき優先権を主張し、その内容をここに援用する。
【背景技術】
【０００２】
従来、水道水に含まれる塩素などの不純物を除去することを目的とした浄水器が広く普及している。浄水器の設置形態としては、水栓の蛇口に取り付ける蛇口直結型、流し台の上に設置する据置型、又は流し台の下の収納キャビネット内に設置するアンダーシンク型（ビルトイン型）等が知られている。【０００３】
このような浄水器として、特に家庭で用いられる浄水器の場合、流し台周りの美観を損ねないことなどからアンダーシンク型の浄水器が注目されている。また、近年ではシステムキッチンの下方収納キャビネット空間に引き出し体を設置することが主流となっていることから、アンダーシンク型の浄水器は、従来の奥側の雛壇ではなく、収納キャビネット内の狭小スペースや、引き出しの上下間、又は引き出し裏等の、アンダーシンク内のデッドスペースに配置される傾向にある。【０００４】
アンダーシンク内のデッドスペースに配置される浄水器としては、例えば特許文献１に、水道原水を水処理する装置本体と、流し台のシンク下方のキャビネット空間内において、引き出し体の後部外側に前記装置本体を着脱自在に装着する装着具と、を具備する水処理装置が提案されている。
また、アンダーシンク型の浄水器に係るものとして、特許文献２には、浄水器をキャビネット内で横向き且つ前後向きに保持する浄水器のブラケットであって、前記浄水器を脱着可能に保持するホルダ部と、前記キャビネットへの固定部と、該ホルダ部にて保持した該浄水器の前端面よりも前側に設けられ、該浄水器から外したホースを引っ掛けて保持するホース引掛部と、を有している浄水器のブラケットが提案されている。
【先行技術文献】
【特許文献】
【０００５】
【特許文献１】特開２００７−２９１６５３号公報
【特許文献２】特開２００７−１５４５１３号公報
【発明の概要】
【発明が解決しようとする課題】
【０００６】
しかしながら、特許文献１の水処理装置では、装置本体内に電解槽と浄水カートリッジを収容していることなどから、装置本体のサイズが大きく、したがって浄水カートリッジ等の交換の際には狭いキャビネット空間に手を差し入れて装置本体から浄水カートリッジを引き出す必要があるため、浄水カートリッジの交換が容易であるとは言い難い。また、引き出し体の出し入れに伴って浄水カートリッジに接続するホースも動かされるため、浄水カートリッジとホースとの接続部にストレスがかかる。特に、浄水カートリッジのジョイントは、これに外挿して連結するホースのカプラー部分に比べて細く、相対的に強度が低いため、浄水カートリッジ（装置本体）の出し入れが頻繁に行われて浄水カートリッジのジョイントに大きな負荷がかかると、破損するおそれがある。【０００７】
また、特許文献２の浄水器のブラケットでは、固定部をキャビネットの内面にビス止めで固定しているため、その取り付けに工具が必要となり、取付位置の変更などが面倒であるため、汎用性に難がある。【０００８】
本発明は前記事情に鑑みてなされたもので、特に浄水器用カートリッジのジョイントを保護することができ、さらに浄水器用カートリッジの交換が容易である汎用性の高いカートリッジホルダーと、これを備えるカートリッジ装置を提供することを目的とする。
【課題を解決するための手段】
【０００９】
本発明の一実施態様に係るカートリッジホルダーは、配水管をそれぞれ連結可能な入水用及び出水用のジョイントを有する浄水器用カートリッジを保持するためのカートリッジホルダーであって、
前記浄水器用カートリッジを保持する保持部材と、
前記保持部材によって前記浄水器用カートリッジを保持した状態で、前記ジョイント近傍の配水管を係止させる排水管係止部と、前記保持部材を取り付けるための取付部と、を有する。【００１０】
このカートリッジホルダーにあっては、排水管係止部を有しているので、該配水管係止部に浄水器用カートリッジに連結された配水管を係止させることにより、例えば、配水管がホース及びそれに接続するカプラーからなる場合、ホースに力が加わっても、カプラーでストレスを吸収することでカプラーに比べて強度が低い浄水器用カートリッジのジョイントにストレスがかかるのを防止することができる。また、構造がシンプルであり、単に浄水器用カートリッジを保持部材で保持し、配水管を配水管係止部に係止させることで浄水器用カートリッジを保持できるため、取付部によって所望箇所に保持部材を取り付けることにより、浄水器用カートリッジを所望箇所に配置することができる。【００１１】
また、前記カートリッジホルダーにおいては、前記配水管係止部が、切欠状になっていることが好ましい。
この構成によれば、配水管係止部への配水管の係止が容易になる。【００１２】
また、前記カートリッジホルダーにおいては、前記取付部が、前記保持部材に設けられていることが好ましい。
この構成によれば、カートリッジを安定して取り付けることができる。【００１３】
また、前記カートリッジホルダーにおいては、前記配水管係止部が、前記保持部材の一端側と他端側の双方に設けられていることが好ましい。
この構成によれば、保持部材の一端側と他端側の双方に配水管係止部が設けられているので、保持部材に対して浄水器用カートリッジを、一の方向、あるいはこれと逆の方向に向くようにして配置することができる。【００１４】
また、前記カートリッジホルダーにおいて、前記保持部材には、水受け部が設けられていることが好ましい。
この構成によれば、保持部材に水受け部が設けられているので、例えば浄水器用カートリッジの交換時にカプラーをジョイントから外した際、カプラー側やジョイント側から水が漏れ出ても、水受け部で受けることにより、設置箇所を水で濡らすことを防止することができる。【００１５】
また、前記カートリッジホルダーにおいて、前記取付部は、前記保持部材に対して着脱可能に設けられていることが好ましい。
この構成によれば、予め取付部として種々の形態のものを用意しておき、設置箇所に対応させて取付部を選択することにより、保持部材の取り付けを容易に行うことができる。【００１６】
また、前記カートリッジホルダーにおいて、前記取付部は、アンダーシンク内に取り付けられることが好ましい。
この構成によれば、アンダーシンク内のデッドスペースを有効に使うことができる。【００１７】
また、前記配水管は、ホース及び前記ホースの端部に接続され前記ジョイントに連結可能なカプラーを備えることが好ましい。【００１８】
また、配水管係止部は、前記カプラーを係止させることも好ましい。【００１９】
また、配水管係止部は、前記ホースを保持することも好ましい。【００２０】
また、配水管係止部は、前記配水管が前記配水管係止部に対し、前記ジョイントにおける前記配水管の方向に対して垂直又は水平方向に着脱可能に設けられていることが好ましい。【００２１】
また、カートリッジホルダーは、長さ方向（Ｌ）と径方向（ｄ）の比Ｌ／ｄが２〜５であることが好ましい。【００２２】
また、水受け部は、前記保持部材の一端または両端に着脱可能に設けられていることが好ましい。【００２３】
また、保持部材には、前記カートリッジを固定するためのカートリッジ固定バンドが着脱可能に設けられていることが好ましい。【００２４】
また、配水管係止部は、前記保持部材に対して着脱可能に設けられていることが好ましい。【００２５】
また、配水管係止部は、前記保持部材に対して、高さ方向の位置を調整可能に設けられてなることが好ましい。【００２６】
また、配水管係止部は、前記切欠状の内径が３０〜９５ｍｍの大きさを有することが好ましい。【００２７】
本発明の一実施態様に係るカートリッジ装置は、入水用及び出水用のジョイントを有する浄水器用カートリッジと、前記ジョイントに連結されるカプラーと、前記カートリッジホルダーと、を備え、前記カートリッジホルダーに前記浄水器用カートリッジが着脱可能に保持されてなる。【００２８】
このカートリッジ装置にあっては、前記カートリッジホルダーを備え、前記カートリッジホルダーに浄水器用カートリッジが着脱可能に保持されてなるので、浄水器用カートリッジのジョイントにストレスがかかるのを防止することができる。また、取付部によって所望箇所に保持部材を取り付けることにより、浄水器用カートリッジを所望箇所に配置することができる。【００２９】
また、本発明の一実施態様に係るカートリッジホルダーの別の側面では、カプラーが連結される入水用及び出水用のジョイントを有する浄水器用カートリッジを保持するためのカートリッジホルダーであって、前記浄水器用カートリッジを保持する保持部材と、前記保持部材によって前記浄水器用カートリッジを保持した状態で、前記カプラーを係止させるカプラー係止部と、前記保持部材を取り付けるための取付部と、を有する。
【発明の効果】
【００３０】
本発明によれば、切欠状の配水管係止部を有して浄水器用カートリッジのジョイントにストレスがかかるのを防止しているので、強度が相対的に低いジョイントを保護することができる。また、取付部によって浄水器用カートリッジを所望箇所に配置できるようにしたので、浄水器用カートリッジの交換を容易に行うことができるとともに、汎用性を高めることもできる。
【図面の簡単な説明】
【００３１】
【図１】本発明に係るカートリッジ装置の一実施形態の使用例を示す図である。
【図２】本発明に係るカートリッジ装置の一実施形態の概略構成図である。
【図３】本発明に係る浄水器用カートリッジの一例の全体構成を示す断面図である。
【図４】図３をＡ−Ａ線矢視した、濾材容器の底部内面を示す図である。
【図５】本発明に係るカートリッジホルダーの一実施形態の斜視図である。
【図６】（ａ）、（ｂ）はカートリッジホルダーの変形例を示す図であって、（ａ）は使用形態を示す図、（ｂ）は側面図である。
【図７】カートリッジホルダーの変形例を示す図であって、要部を断面視した側面図である。
【図８】カートリッジホルダーの変形例を示す斜視図である。
【発明を実施するための形態】
【００３２】
以下、本発明の一実施形態に係るカートリッジホルダー及びカートリッジ装置について、図面を参照して詳しく説明する。
図１は、本発明に係るカートリッジ装置の一実施形態の使用例を示す図である。図１において符号１はカートリッジ装置であり、このカートリッジ装置１は、キッチンの流し台２に設置された水栓３に配管（図示せず）及びホース４を介して接続されたものである。
すなわち、カートリッジ装置１はアンダーシンク型（ビルトイン型）の浄水器である。
【００３３】
図１中に示した使用例では、キッチン下のキャビネットが前後方向にスライド可能な引出しタイプのもので、最下段の引き出しの奥側の側板５に、カートリッジ装置１を取り付けている。図１中に実線で示した例では、側板５の内側、すなわち引き出しの内部にカートリッジ装置１を収容配置している。また、図１中に二点鎖線で示すように、側板５の外側、すなわち引き出しの裏側（外部）に配置することもできる。なお、図１ではカートリッジ装置１は最下段の引き出し内部の奥側に取り付けられているが、引き出し内部の側面に取り付けても良い。
【００３４】
カートリッジ装置１は、その概略構成図である図２に示すように、浄水器用カートリッジ１０と、カートリッジホルダー４０とを備えて構成されている。
浄水器用カートリッジ１０は、その全体構成を示す断面図である図３に示すように、容器本体１１内に収容された濾材１２によって水（水道原水）を濾過し浄化して、浄水として図１に示した水栓３側に吐出するものである。
【００３５】
すなわち、浄水器用カートリッジ１０は、容器本体１１と、容器本体１１内に収容された濾材１２とを備えて構成されている。
容器本体１１は、有底円筒状の濾材容器１３と、該濾材容器１３の開口側に被着された蓋部１４とを有している。
【００３６】
蓋部１４は、濾材容器１３の開口を覆う略円盤状のもので、硬質の樹脂によって形成されており、その外周端が濾材容器１３の開口側周端に対して超音波溶着や振動溶着等で固定されている。この蓋部１４には、その外面側に入水ジョイント１５（入水用のジョイント）と出水ジョイント１６（出水用のジョイント）とが形成されている。本実施形態のジョイントは、配水管を連結可能なように構成されている。具体的には、本実施形態では、配水管はホース４及びその端部に接続されジョイントとそれぞれ連結可能なカプラーを備える。入水ジョイント１５は、図１、図２に示すように入水用カプラー１７が端部に接続されたＩＮ用ホース４に液密に接続するように構成された管状のものである。出水ジョイント１６は、出水用カプラー１８が端部に接続されたＯＵＴ用ホース４に液密に接続するように構成された管状のものである。
【００３７】
入水用カプラー１７、出水用カプラー１８は、図２に示すように、内管１９に進退移動可能に外挿された操作管２０を有し、この操作管２０の大径部２０ａを進退操作することで、図３に示した入水ジョイント１５や出水ジョイント１６に内管１９を外挿させ、これら入水ジョイント１５や出水ジョイント１６の大径部１５ａ（１６ａ）に内管１９を係脱可能に係止させるようにした公知の構成のものである。これら入水用カプラー１７、出水用カプラー１８は、入水ジョイント１５や出水ジョイント１６に比べて充分に大径に形成されており、また、硬質の樹脂によって比較的高強度に形成されていることにより、入水ジョイント１５や出水ジョイント１６に比べて高強度になっている。
【００３８】
なお、これら入水用カプラー１７、出水用カプラー１８は、操作管２０の非操作時、すなわち定常時に、操作管２０を後退させるために大径部２０ａの後方に内管１９が露出している。この露出した内管１９部分は、前方の大径部２０ａより小径であり、かつ、カプラー１７（１８）のホース４側より小径に形成されていることにより、円環状の溝部となっている。すなわち、入水用カプラー１７、出水用カプラー１８には、操作管２０の大径部２０ａの後方に、内管１９が露出してなる溝部が形成されている。
【００３９】
入水ジョイント１５と出水ジョイント１６とは、図２、図３に示すように容器本体１１の中心軸を挟んで対称に配置されている。また、蓋部１４の周縁側に配置されることなく、中心側に配置されている。これにより、入水ジョイント１５、出水ジョイント１６は、容器本体１１の側周面からの距離が、共に同じに形成されている。
【００４０】
入水ジョイント１５の内部孔は、濾材容器１３と該濾材容器１３内に収容された濾材１２との間、すなわち濾材１２の外側に形成された第１の通水路２１に連通している。また、出水ジョイント１６の内部孔は、後述する中空糸膜の端部側、すなわち開口側に連通している。
【００４１】
ここで、容器本体１１は、その全長、すなわち入水ジョイント１５や出水ジョイント１６の先端から濾材容器１３の底面までの長さＬが、例えば２２０ｍｍ〜３００ｍｍ程度、好ましくは２５０ｍｍ〜２８０ｍｍ程度となっている。３００ｍｍ以上の長さになると、取扱い性が損なわれたり、設置箇所が限定されてしまう。また、２２０ｍｍより短いと、必要な濾材量を充填できず、ろ過能力が低下してしまい、実用性が低くなる。また、容器本体１１の外径は、濾材容器１３において最大径（ｄ）が７０〜９０ｍｍ程度、好ましくは、７５ｍｍ〜８０ｍｍ程度となっている。最大径が９０ｍｍを超えると、取扱い性が損なわれたり、狭小スペース等での設置が困難となり、設置箇所が限定され汎用性が低下してしまう。また、最大径が７０ｍｍ以下になると、必要な濾材量を充填できず、ろ過能力が低下してしまい、実用性が低くなる。したがって、容器本体１１の長さ（Ｌ）と容器本体１１の最大径（ｄ）との比（Ｌ／ｄ）が、例えば２〜５の間、好ましくは２．４〜４．３程度となっており、浄水器用カートリッジ１０は充分にスリムな構造となっている。なお、浄水器用カートリッジ１０全体の長さ（Ｌ）と最大径の比が上述の範囲内であることが好ましい。よって、浄水器用カートリッジ１０は、図１に示したように最下段の引き出し内部やその裏側など、アンダーシンク内の狭小スペースなどに容易に配置できるようになっている。
【００４２】
濾材１２は、成型活性炭２２と中空糸膜２３とからなっており、これらは濾材容器１３の中心軸方向に沿って配置されている。濾材容器１３の底部側に成型活性炭２２が配置され、蓋部１４側に中空糸膜２３が配置されている。これら成型活性炭２２及び中空糸膜２３からなる濾材１２は、その外側の濾材容器１３との間に、僅かな隙間をあけて配置されている。すなわち、濾材１２の全周に亘って隙間が形成されている。
【００４３】
この濾材１２と濾材容器１３との間の、濾材容器１３の周方向に連続する円環状の隙間が、前記した第１の通水路２１となっている。第１の通水路２１は、前述したように入水ジョイント１５の内部孔に連通していることにより、該入水ジョイント１５を通って流入してきた水が流れるようになっている。この第１の通水路２１は、その流路断面積、すなわち中心軸と直交する横断面の開口面積が、０．３ｃｍ２以上８ｃｍ２以下、好ましくは１．０ｃｍ２以上５．５ｃｍ２以下となっている。０．３ｃｍ２よりも小さいと圧力損失が高くなり、充分な通水量を確保することができない。また、８ｃｍ２よりも大きいと濾材量が少なくなり、充分な濾過性能を得ることができない。
【００４４】
ここで、中空糸膜２３は、円筒状の中空糸膜ケース２４に収容されており、したがってその側面側が閉じられていることにより、第１の通水路２１に直接連通することなく中空糸膜ケース２４によって隔てられている。よって、入水ジョイント１５を通って第１の通水路２１に流入した水は、直接中空糸膜２３側に流入することなく、濾材容器１３の底部側、すなわち成型活性炭２２側に流れるようになっている。
【００４５】
中空糸膜２３としては、浄水器用カートリッジのろ過材として通常用いられるものが使用できる。具体的には、例えばセルロース系、ポリオレフィン（ポリエチレン、ポリプロピレン）系、ポリビニルアルコール系、エチレン・ビニルアルコール共重合体、ポリエーテル系、ポリメタクリル酸メチル（ＰＭＭＡ）系、ポリスルホン系、ポリアクリロニトリル系、ポリ四フッ化エチレン（テフロン（登録商標））系、ポリカーボネイト系、ポリエステル系、ポリアミド系、又は芳香族ポリアミド系などの各種材料からなるものが使用できる。なかでも、取扱い性、及び加工特性からポリオレフィン系、又はポリスルホン系等のものが用いられる。
【００４６】
この中空糸膜２３は、ループ状に束ねられた中空糸膜が蓋部１４側（出口側）をウレタン樹脂やエポキシ樹脂等によって接着固定され、端部が前記樹脂により閉塞されないように開口したもので、前記中空糸膜ケース２４に収容され、固定されている。このような構成からなる中空糸膜２３は、その有効膜面積、すなわち有効な濾過面積が、０．４ｍ２以上０．８ｍ２以下、例えば０．６４ｍ２程度に形成されている。なお、有効膜面積は、中空糸膜の外径と樹脂に覆われない部分の長さと本数との積によって算出される。
【００４７】
また、中空糸膜ケース２４の蓋部１４側には、その開口部に蓋部側キャップ２５が被着されている。蓋部側キャップ２５には、出水ジョイント１６の内部孔に内挿されて該出水ジョイント１６に連通する円筒状の連結筒２６が形成されている。これによって中空糸膜２３で濾過された浄水は、連結筒２６を通って出水ジョイント１６に案内され、水栓側に送られるようになっている。
【００４８】
なお、蓋部側キャップ２５の連結筒２６と出水ジョイント１６の内部孔との間には、Ｏリングが介装されており、これによって良好な水密性が確保されている。また、出水ジョイント１６の内部孔の濾材容器１３側の内径は、入水ジョイント１５の内部孔の濾材容器１３側の内径より大きく形成されている。これにより、組立時において誤って連結筒２６に入水ジョイント１５を連結しようとしても、これらが嵌合できないことにより、誤って組み立てられることが防止されている。さらにまた、この構造により、濾材１２の中心軸と蓋部１４の中心軸とが同心軸上に配置されるため、濾材１２と濾材容器１３との円環状の隙間（第１の通水路２１）が、全周に亘って均等となり、入水ジョイント１５から流入した水の流れを均一に分散することができる。
【００４９】
蓋部１４の内側には、強度を高くするためのリブ（図示せず）が放射状に設けられている。蓋部側キャップ２５に突出部２７が形成され、この突出部２７が蓋部１４の嵌合凹部１４ａに嵌合するように形成されているため、このリブによって蓋部１４の耐圧性を上げることができる。しかし、この突出部と嵌合凹部を逆に設けた場合、すなわち蓋部側キャップ２５に嵌合凹部、蓋部１４に突出部をそれぞれ設けた場合は、リブは突出部（蓋部１４の中心）に向けて高さを低くしなくてはならない。従って、蓋部１４の強度が低下してしまい好ましくない。
【００５０】
また、蓋部側キャップ２５には、その中心部（中心軸上）に突出部２７が形成されている。この突出部２７は、蓋部１４の中心部に形成された嵌合凹部１４ａに嵌合するように形成配置されている。このような構成のもとに中空糸膜２３を収容した中空糸膜ケース２４は、これに被着された蓋部側キャップ２５の突出部２７が蓋部１４の嵌合凹部１４ａに嵌合していることにより、ガタツキが防止されている。また、浄水器用カートリッジ１０を横置きした際などに、濾材１２が濾材容器１３内にて偏って位置してしまうことも防止されている。
【００５１】
成型活性炭２２は、円筒形状に形成されたもので、濾材容器１３の底部側の端部が底部側キャップ２８とホットメルトによって接着され、中空糸膜２３側の端部が孔付きの仕切板２９とホットメルトによって接着されている。すなわち、成型活性炭２２は底部側キャップ２８と仕切板２９との間に挟着されており、これら底部側キャップ２８と仕切板２９との間を径方向内方に向けて水が流れるように構成されている。成型活性炭２２の内部孔２２ａは、第２の通水路となるもので、仕切板２９の中心部に形成された円筒状の通水部２９ａに連通して配置されている。すなわち、成型活性炭２２の内部孔２２ａに通水部２９ａが内挿されている。また、底部側キャップ２８の外周には３点の突起が設けられている。この突起によって底部側キャップ２８と濾材容器１３の内側面との間に隙間ができ、濾材容器１３の底部側まで水が流れるようになっている。この突起は１．０ｍｍ〜２．０ｍｍが好ましい。１．０ｍｍよりも小さいと水が流れにくい。さらに、浄水器用カートリッジ１０を横置きにした際に第１の通水路２１が、横置きにした際の底面側に偏り、底部側キャップ２８と濾材容器１３の底部との間にまで水が流れにくくなる。２．０ｍｍよりも大きいと、濾材量が少なくなり、充分な濾過性能を得ることができない。なお、底部側キャップ２８にもその中心部に円筒部２８ａが形成されており、この円筒部２８ａが成型活性炭２２の内部孔２２ａに内挿されている。また、底部側キャップ１５及び仕切板１６には、溝が掘ってあり、この溝によりホットメルトとの接着性を向上させている。
【００５２】
本実施形態のように一方の端部に入水口と出水口が設けられたような浄水カートリッジ１０の場合、底部側キャップ２８と濾材容器１３の底部との間には水が滞留しやすい。特に成型活性炭２２の底面側の端部が底部側キャップ２８と接着しているため、成型活性炭２２の底部側の端面からは、内部孔２２ａに向けて水が流入しない。したがって、水が長期間滞留してしまうことがある。そこで、底部側キャップ２８の外径は、当接する濾材容器１３の内径よりも、０．５ｍｍ〜１．０ｍｍ小さく設けることが好ましい。この範囲に設けることにより、底部への水量を増やすことができるため、水の滞留を防ぐことができる。１．０ｍｍよりも大きいと、成形活性炭２２のガタツキの発生や、濾材量が減るため、好ましくない。また、０．５ｍｍよりも小さいと、濾材容器１３との隙間が狭くなってしまい、底部に流れる水量を増やすことができない。
【００５３】
濾材容器１３の底部内面１３ａには、図４に示すように、底部内面１３ａの中心部から外周側にかけて複数のリブ１３ｂが放射状に形成されている。これらリブ１３ｂは、底部側キャップ２８に向けて凸となる線状、すなわち凸条に形成されている。これらリブ１３ｂを設けることにより、連結筒２６と出水ジョイント１６の内部孔との嵌合が外れることを防止することができる。従って、濾材１２が蓋部１４から外れることを防止することができる。また、リブ１３ｂを設けることにより、濾材容器１３の底部の耐圧性を上げることができる。本実施形態のように、浄水カートリッジ１０は、一方の端部に入水口と出水口が設けられ、更に成形活性炭２２の端面がキャップで接着されているため、底部付近に水の流れが悪い部分ができ、一部、水が長期間滞留してしまうことがある。水の流れを良くするため、リブ１３ｂの高さを２〜５ｍｍとすると、底部に水が溜まらず流れるために好ましく、さらに３〜４ｍｍが好ましい。５ｍｍより大きいと、底部側キャップ２８と濾材容器１３の底部内面１３ａとの間に隙間が小さくなってしまうため水の流れが悪くなり溜まってしまう。また、２ｍｍよりも小さいと濾材容器１３の底部の耐圧性を上げることができない。
【００５４】
また、成型活性炭２２は、その外周面上に透水性の不織布（図示せず）が貼設されている。この不織布としては、粗いゴミを除くことができるように適当な目開きを有するものが用いられる。成型活性炭２２への不織布の貼付方法としては、不織布の目開きを阻害することなく、強度、加工性等に問題のない方法であれば特に限定されないが、熱融着性繊維を使用し、加熱して貼り付ける方法が安価であり、簡便にできるため好ましい。
【００５５】
また、内部孔側の内面には、集水管３０が設けられている。集水管３０は、第２の通水路として実質的に機能するもので、成型活性炭２２を透過してきた水を集めて仕切板２９の通水部２９ａ側に案内するものであり、内部孔２２ａ側の内面に当接する透水性の不織布（図示せず）と、その内側に設けられた円筒状の芯材（図示せず）とからなっている。
【００５６】
芯材は、成型活性炭２２を水が流れることに伴って成型活性炭２２が破損するのを防止すべく、これを補強するためのものである。このような芯材としては、通水濾過時における成型活性炭２２の形態を保つことができるものであればよく、例えば円筒形状の樹脂に多数の孔を格子状に設けたものや、低融点繊維等を用いて加熱成型し、通水性を有するパイプ状に成形したものなどが用いられる。集水管３０の不織布としては、成型活性炭２２の外周面上に貼設された不織布と同様のものが用いられる。
【００５７】
ここで、集水管３０の流路断面積、すなわち中心軸と直交する横断面の開口面積Ａ１は、前記した第１の通水路８の流路断面積Ａ２に対して、Ａ１／Ａ２＝（１／０．２）〜（１／５．３）、好ましくは（１／０．７）〜（１／３．７）となるように形成されている。集水管３０の流路断面積Ａ１を第１の通水路２１の流路断面積Ａ２に対してこのような大きさに形成することで、浄水器用カートリッジ１０全体において充分な通水流量が確保されるようになっている。
【００５８】
仕切板２９は、前述したように成型活性炭２２の中空糸膜２３側の端部に被着されるとともに、中空糸膜ケース２４にも被着されている。すなわち、中空糸膜２３を収容した中空糸膜ケース２４の、成型活性炭２２側の開口を覆って取り付けられている。したがって、前述したように仕切板２９の中心部に形成された通水部２９ａが成型活性炭２２の内部孔（第２の通水路）、詳しくは集水管３０に内挿され、連通していることにより、この通水部２９ａを介して集水管３０内（第２の通水路）と中空糸膜ケース２４内とが連通している。すなわち、集水管３０内を流れる水は通水部２９ａを通って中空糸膜ケース２４内に流入するようになっている。
【００５９】
浄水器用カートリッジ１０は、容器本体１１の全長、すなわち入水ジョイント１５や出水ジョイント１６の先端から濾材容器１３の底面までの長さＬが２２０ｍｍ〜３００ｍｍ程度となっており、容器本体２の長さ（Ｌ）と容器本体２の最大径（ｄ）との比（Ｌ／ｄ）が、２．４以上４．３以下となっているため、全体的に小型で、かつ、スリムな形状となっている。また、長さ方向の一方の側に入水ジョイント１５、出水ジョイント１６を設けているので、これら入水ジョイント１５、出水ジョイント１６にＩＮ用ホース（入水用カプラー）、ＯＵＴ用ホース（出水用カプラー）をそれぞれ同じ方向でまとめて接続することができる。
【００６０】
したがって、例えばアンダーシンク内の狭小スペース、具体的には収納キャビネット内の狭小スペース、引き出しの上下間、引き出し裏、又は最下段の引き出し内などに浄水器用カートリッジ１０を配置し、ＩＮ用ホース、ＯＵＴ用ホースを接続して水栓に繋げることにより、浄水器として使用することができる。その際、浄水器用カートリッジ１０については、横置きでも縦置きでも使用が可能であり、したがって置き方に制限されることなく、設置場所となるスペースの形態に合わせて任意に配置することができる。
【００６１】
また、濾材容器１３の内容積に対する、成型活性炭２２、中空糸膜２３からなる濾材１２、及び蓋部側キャップ２５、中空糸膜ケース２４、仕切板２９、集水管３０、及び底部側キャップ２８等の各部材の体積が占める割合は、８０％以上９５％以下、好ましくは８７％以上９３％以下となっている。
【００６２】
図２に示すようにカートリッジホルダー４０は、本実施形態に係るカートリッジホルダーの一実施形態となるもので、入水ジョイント１５に入水用カプラー１７が連結され、出水ジョイント１６に出水用カプラー１８が連結された状態の浄水器用カートリッジ１０を保持するためのものである。
【００６３】
このカートリッジホルダー４０は、図５に示すように浄水器用カートリッジ１０を保持するための保持部材４１と、保持部材４１によって浄水器用カートリッジ１０を保持した状態で、該浄水器用カートリッジ１０の入水ジョイント１５に連結した入水用カプラー１７、及び出水ジョイント１６に連結した出水用カプラー１８を係止させる一対のカプラー係止部４２ａ、４２ａを形成したカプラー係止板４２と、保持部材４１に設けられて該保持部材４１をアンダーシンク内の適宜箇所、本実施形態では図１に示した最下段の引き出しの奥側の側板５に取り付けるための取付部材４３（取付部）と、を有して構成されている。
【００６４】
保持部材４１は、浄水器用カートリッジ１０の円筒形状の外形に対応して側面視円弧状に形成された湾曲板であって、配水管を係止させる配水管係止部が形成されている。本実施形態では、配水管係止部はカプラーを係止するカプラー係止部４２ａである。カプラー係止部４２ａは、保持部材４１に設けられたカプラー係止板４２に設けられている。具体的には、保持部材４１には、その前後方向における一端側と他端側とに、それぞれカプラー係止板４２が形成されている。また、これらカプラー係止板４２よりさらに端部側に、それぞれ水受け部４４が形成されている。水受け部４４は、保持部材４１に連続して形成された湾曲板であり、カプラー係止板４２より下側（以下、保持部材４１の湾曲板の曲面の外周側を下側、その下側に対向する側を上側、この上側と下側を結ぶ方向を上下方向又は高さ方向と呼ぶことがある）に形成されている。これら水受け部４４には、それぞれの端縁部に、カプラー係止板４２側に立ち上げられて堰板４４ａが形成されている。堰板４４ａは、水受け部４４に水が落ちた際に、この水が端縁側から流れ落ちないように水を堰き止めるためのものである。また、補強リブとしても機能している。
【００６５】
カプラー係止板４２は、湾曲板である保持部材４１の側辺側端縁間に渡されて配置された細板状のもので、その上側にカプラー係止部４２ａが所定間隔で隣り合って一対形成されている。カプラー係止部４２ａは、カプラー係止板４２の上記上側が略半円状に切り欠かれて形成されたもので、図２に示すように前記した入水用カプラー１７、出水用カプラー１８の、内管１９が露出してなる溝部に係止するように形成されている。なお、カプラー係止部４２ａの切欠の大きさは、カプラーを係止できるようカプラーの大きさに合わせて適宜選択できるが、一般には前記略半円状の径が３０〜９５ｍｍの大きさを有する。また、カプラー係止部４２ａが半円状で、カプラー係止板４２の上側が切り欠かれて設けられていることで、入水用カプラー１７及び出水用カプラー１８は、カプラー係止部４２ａに対して、前記上下方向、すなわちカプラー及びホース４の方向に対して垂直方向に着脱可能となっている。
【００６６】
なお、隣り合う一対のカプラー係止部４２ａ、４２ａは、入水ジョイント１５に連結した入水用カプラー１７と出水ジョイント１６に連結した出水用カプラー１８との間隔に対応した間隔に形成されている。また、一端側のカプラー係止板４２と他端側のカプラー係止板４２とは同一形状に形成されており、したがって浄水器用カートリッジ１０を、その蓋部１４が保持部材４１の一端側（一の方向）に向くように保持部材４１上に配置しても、他端側（逆の方向）に向くように保持部材４１上に配置しても、入水用カプラー１７、及び出水用カプラー１８の前記溝部がカプラー係止板４２の各カプラー係止部４２ａに確実に係止するようになっている。
【００６７】
取付部材４３は、本実施形態では保持部材４１の一方の側部外面にビス止めによって着脱可能に取り付けられたもので、保持部材４１に取り付けられた取付板４３ａと、取付板４３ａに一体に設けられた取付片４３ｂとからなっている。取付板４３ａにはビス用の貫通孔（図示せず）が形成されており、保持部材４１に形成された貫通孔との間にビス（図示せず）が挿通されることにより、保持部材４１に対して着脱可能に取り付けられている。
【００６８】
取付片４３ｂは、逆Ｊ字状に形成されたフックであって、本実施形態では取付板４３ａの長さ方向において等間隔で三つ設けられている。これら取付片４３ｂは、図１に示したように最下段の引き出しの奥側の側板５に引っ掛けられたことにより、ここに取り付けられている。すなわち、取付片４３ｂが側板５に引っ掛けられたことにより、カートリッジホルダー４０は側板５に着脱可能に取り付けられている。
なお、このような構成からなるカートリッジホルダー４０は、例えばステンレスやアルミニウムなどの耐腐食性のある金属や又は硬質の樹脂によって形成されている。
【００６９】
以上の構成のカートリッジ装置１では、これを図１に示したようにセットする場合、まず、予め入水用カプラー１７、出水用カプラー１８を入水ジョイント１５、出水ジョイント１６にそれぞれ連結した浄水器用カートリッジ１０を、カートリッジホルダー４０の保持部材４１上に置くとともに、入水用カプラー１７、出水用カプラー１８を所望の方向に向けてその方向に位置するカプラー係止板４２に係止させる。すなわち、各カプラー１７（１８）の、内管１９が露出してなる溝部をカプラー係止部４２ａに係止させる。このように溝部を切欠状のカプラー係止部４２ａに係止させることにより、カプラー１７（１８）を介して浄水器用カートリッジ１０の入水ジョイント１５、出水ジョイント１６がカプラー係止部４２ａに係止する。
【００７０】
続いて、取付部材４３の取付片４３ｂを図１に示したように最下段の引き出しの奥側の側板５に引っ掛ける。これにより、カートリッジ装置１を図１中に実線で示すように引き出しの側板５の内側に取り付け、引き出し内に収容配置することができる。あるいは、図１中に二点鎖線で示すように引き出しの側板５の外側に取り付け、引き出しの裏側（外部）に配置することもできる。なお、先にカートリッジホルダー４０を引き出しの側板５に取り付け、その後、このカートリッジホルダー４０に浄水器用カートリッジ１０を保持させるようにしてもよい。
【００７１】
このようにして配置したカートリッジ装置１の浄水器用カートリッジ１０では、図３に示したようにＩＮ用ホース４を通って供給された水（水道原水）が入水ジョイント１５を通り、蓋部側キャップ２５に案内されて第１の通水路２１に流入する。第１の通水路２１に流入した水は、中空糸膜ケース２４の外側を通過して成型活性炭２２の側面（外面）に流入する。なお、成型活性炭２２を通過する際にはある程度の抵抗がかかるため、中空糸膜ケース２４の外側を通過してきた水は、成型活性炭２２の側面全体にほぼ均一に流入する。
【００７２】
成型活性炭２２を通過し、これによって一次濾過された水は、内部孔２２ａに設けられた集水管３０内に集められ、中空糸膜ケース２４側に案内される。
中空糸膜ケース２４内に流入した水は、中空糸膜２３にて二次濾過され、浄化された後、蓋部側キャップ２５の連結筒２６を通って出水ジョイント１６に吐出される。これにより、浄水器用カートリッジ１０にて浄化された水は、ＯＵＴ用ホース４を通って水栓側に流れる。
【００７３】
また、浄水器用カートリッジ１０を交換する際には、カートリッジホルダー４０に浄水器用カートリッジ１０を保持させた状態で、入水用カプラー１７を入水ジョイント１５から外し、また、出水用カプラー１８を出水ジョイント１６から外す。すると、カプラー１７（１８）側やジョイント１５（１６）側から水が漏れ出ることがある。しかし、カプラー１７（１８）が係止させられていたカプラー係止板４２の下方には水受け部４４が設けられているので、漏れ出た水を水受け部４４で受けることにより、引き出し内やアンダーシンク内が水で濡れるのを防止することができる。
【００７４】
本実施形態のカートリッジホルダー４０によれば、切欠状のカプラー係止部４２ａを有しているので、該カプラー係止部４２ａに浄水器用カートリッジ１０に連結されたカプラー１７（１８）の溝部を係止させることにより、例えば引き出しを出し入れすることによってカプラー１７（１８）に接続するホース４に力が加わっても、カプラー１７（１８）でストレスを吸収することでカプラー１７（１８）に比べて強度が低い浄水器用カートリッジのジョイント１５（１６）にストレスがかかるのを防止することができる。したがって、強度が相対的に低いジョイント１５（１６）を保護してその破損を防止することができる。
【００７５】
また、構造がシンプルで小さく、単に浄水器用カートリッジ１０を保持部材４１で保持し、カプラー１７（１８）を切欠状のカプラー係止部４２ａに係止させることで浄水器用カートリッジ１０を保持できるため、取付部材４３の取付片４３ｂによってアンダーシンク内の所望箇所に保持部材４１を取り付けることにより、浄水器用カートリッジ１０を所望箇所に配置することができる。したがって、例えば浄水器用カートリッジ１０を交換が容易な箇所に配置することにより、浄水器用カートリッジ１０の交換を容易に行うことができる。また、取り付けに工具が不要なため、取付位置の変更などが容易であり、したがって汎用性が高いものとなる。
【００７６】
また、保持部材４１の一端側と他端側の双方に配水管係止部、本実施形態ではカプラー係止部４２ａ（カプラー係止板４２）を設けているので、保持部材４１に対して浄水器用カートリッジ１０を、その正逆方向に配置することができる。したがって、アンダーシンク内への配置の自由度を高め、浄水器用カートリッジ１０の交換をより容易にすることができる。
【００７７】
また、保持部材４１の、カプラー係止板４２の下方に水受け部４４を設けているので、例えば浄水器用カートリッジ１０の交換時にカプラー１７（１８）をジョイント１５（１６）から外した際、カプラー１７（１８）側やジョイント１５（１６）側から水が漏れ出ても、これを水受け部４４で受けることにより、引き出し内やアンダーシンク内が水で濡れるのを防止することができる。
【００７８】
また、本実施形態のカートリッジ装置１によれば、カートリッジホルダー４０を備え、このカートリッジホルダー４０に浄水器用カートリッジ１０を着脱可能に保持させているので、浄水器用カートリッジ１０のジョイント１５（１６）にストレスがかかるのを防止してその破損を防止することができる。また、取付部材４３によってアンダーシンク内の所望箇所に保持部材４１を取り付けることにより、浄水器用カートリッジ１０を所望箇所に配置することができ、したがって浄水器用カートリッジ１０の交換を容易に行うことができるとともに、その汎用性を高めることもできる。
【００７９】
なお、本発明の技術範囲は、前記実施形態に限定されるものではなく、本発明の趣旨を逸脱しない範囲において種々の変更を加えることが可能である。
例えば、本発明の一実施形態に係る取付部については、前記取付部材４３の構成に限定されることなく、種々の構成のものを採用することができる。具体的には、取付部を、単に図５に示した取付部材４３における取付片４３ｂを除いて取付板４３ａのみにするとともに、この取付板４３ａの一部あるいは全部を磁石によって形成する。
【００８０】
このように取付板４３ａ、すなわち取付部を磁石によって形成することで、この取付部をアンダーシンク内の金属部分などに容易に取り付けることができる。また、予め所望位置に金属板等を貼設しておくことにとり、この金属板等に対して取付部を取り付けるように構成することもできる。
【００８１】
したがって、取付部として磁石を用いた本例では、カートリッジホルダー４０の着脱をより容易に行うことができるとともに、アンダーシンク内への配置の自由度を高めることができる。なお、図５に示した取付板４３ａをそのまま磁石にして、この磁石（取付板４３ａ）による取り付けと取付片４３ｂによる取り付けの両方を行えるように構成してもよい。
【００８２】
また、カートリッジホルダー４０の取付部としては、図６（ａ）、（ｂ）に示すように、レール状のものを採用することができる。すなわち、図６（ｂ）に示すように取付部を案内レール４５と走行レール４６とによって形成し、カートリッジホルダー４０の保持部材４１の一方の側部に、走行レール４６をビス止めによって形成しておく。また、案内レール４５をアンダーシンク内の所望箇所、例えば図６（ａ）に示すようにアンダーシンク内の側板４７にビス止め等によって取り付けておく。
【００８３】
案内レール４５、走行レール４６の構造については、従来の公知の任意の構造を採用することができる。例えば図６（ｂ）に示すように、案内レール４５として板体４５ａの下側にコ字状の案内部４５ｂを形成したものを用い、走行レール４６として板体４６ａの上側に前記案内部４５ｂに摺動可能かつ係脱可能に係合する折曲部４６ｂを形成したものを用いることができる。
【００８４】
このような案内レール４５、走行レール４６からなる取付部を採用することでも、案内レール４５を予め所望位置に取り付けておくことにとり、この案内レール４５に対して走行レール４６を容易に取り付けることができる。
したがって、本例でも、カートリッジホルダー４０の着脱をより容易に行うことができるとともに、アンダーシンク内への配置の自由度を高めることができる。
【００８５】
また、カートリッジホルダー４０の取付部としては、要部を断面視した側面図である図７に示すように、カップ状のものを採用することもできる。図７に示した例では、保持部材４１の一方の端部、すなわち一方の水受け部４４側に着脱可能に係合し、必要に応じてビス止め可能な有底円筒状（断面視して示す）の取付カップ４８を有している。このような取付カップ４８に対して浄水器用カートリッジ１０を保持した保持部材４１の一方の端部側を係合させることにより、浄水器用カートリッジ１０を縦置きにして配置することができる。
【００８６】
したがって、本例では、前記の実施形態や変形例が浄水器用カートリッジ１０を横置きにして配置するのに対し、縦置きすることができ、また、取付カップ４８を所望の箇所に配置することで浄水器用カートリッジ１０を所望の箇所に配置することができるため、アンダーシンク内への配置の自由度をより高めることができる。
【００８７】
また、前記実施形態や変形例では、保持部材４１として側面視円弧状の湾曲板を用いたが、例えば図８に示すように、側面視円弧状の湾曲板４９ａを相対向して配置することにより、浄水器用カートリッジ１０を弾性的に保持するように構成したホルダ４９を、一つまたは複数（図８では二つ）有することで本発明の一実施形態に係る保持部材としてもよい。
【００８８】
すなわち、図８に示す保持部材は、基板５０上に複数のホルダ４９をビス止め等によって固定し、さらに基板５０のそれぞれの端部側を立ち上げてカプラー係止板４２を形成するとともに、基板５０の一方の側部に取付部材４３を設けている。なお、図８では水受け部を示していないが、カプラー係止板４２の外側に水受け部を設けてもよい。
【００８９】
本例では、保持部材として、湾曲板４９ａの弾性変形によって浄水器用カートリッジ１０を弾性的に保持するホルダ４９を有する構成を採用したので、浄水器用カートリッジ１０を容易にかつ強固に保持することができる。
【００９０】
なお、カートリッジホルダーについて種々の変形例を説明したが、前述した変形例以外にも、本発明の趣旨を逸脱しない範囲において種々の変更を加えることが可能である。例えば、取付部については、保持部材に対して着脱可能に構成することなく、保持部材に対して一体に固定された構造としてもよい。
また、図では、カートリッジホルダーを最下段の引き出しに設けているが、他の引き出しに設けても良い。
また、浄水器用カートリッジについても、その構成や、さらには濾材の具体的構成についても、前記実施形態の構成に限定されることなく、適宜な変更を加えることができる。
【００９１】
前記実施形態では、配水管係止部はカプラーを係止するカプラー係止部であったが、別の実施形態では、配水管係止部は配水管の別の部位を保持又は係止する構成であってもよい。例えば、配水管のうちジョイント近傍の別の部材を保持するものであってもよい。具体的には、配水管がホース及びカプラーを備える場合、又はホースを備えカプラーを備えない場合のいずれであっても、配水管係止部はホースを保持するものであってもよい。
【００９２】
また、保持部材には、カートリッジを固定するためのカートリッジ固定バンドが１以上設けられていてもよい。カートリッジ固定バンドの具体例としては、例えば前記実施形態のホルダ４９と同様の構造を、保持部材４１に加えてさらに設けていてもよい。その他に、容器本体１１の外径と略同じ内径を有する輪状の部材が挙げられる。このカートリッジ固定バンドを、保持部材４１の取付板４３ａを架け渡すように設けられていてもよい。カートリッジ固定バンドは、保持部材４１に対して着脱可能に、又は取付板４３ａを架け渡す部位を着脱可能（例えば、連結及び解除が可能な連結部を有する等）構成されていてもよい。カートリッジ固定バンドは弾性を有する構成素材からなり、カートリッジを固定する際に容器本体１１を緊締可能に、さらにカートリッジを保持部材４１から取り外す際には取り外しが容易なように構成されていてもよい。
【００９３】
また、配水管係止部は、保持部材に対して着脱可能に設けられていてもよい。具体的には、前記実施形態の配水管係止部であるカプラー係止部を備えるカプラー係止板４２が、保持部材４１に対して着脱可能となっていてもよい。着脱可能とする手段としては、カプラー係止板４２が保持部材４１に対してねじ止め等によって保持されていてもよい。また、カプラー係止板４２に対して着脱可能な別の部材がカプラー又はホースに係止する配水管係止部となっていてもよい。
さらに、配水管係止部は、保持部材に対して位置が調節可能となっていてもよい。特に、高さ方向（図５における上下方向）に位置調整可能であってもよい。
配水管係止部が、保持部材に対して着脱可能であるか、又は位置が調節可能であることで、カートリッジの着脱がより容易となる。また、カートリッジの構造、具体的には配水管の構造、サイズや位置に応じて、配水管係止部を交換し、又は位置を調整することで、よりカートリッジの構造に合わせて有効に係止することができる。
【産業上の利用可能性】
【００９４】
本発明によれば、切欠状のカプラー係止部を有して浄水器用カートリッジのジョイントにストレスがかかるのを防止しているので、強度が相対的に低いジョイントを保護することができる。また、取付部によって浄水器用カートリッジを所望箇所に配置できるようにしたので、浄水器用カートリッジの交換を容易に行うことができるとともに、汎用性を高めることもできる。
【符号の説明】
【００９５】
１  カートリッジ装置
４  ホース
１０  浄水器用カートリッジ
１５  入水ジョイント（ジョイント）
１６  出水ジョイント（ジョイント）
１７  入水用カプラー
１８  出水用カプラー
４０  カートリッジホルダー
４１  保持部材
４２  カプラー係止板
４２ａ  カプラー係止部
４３  取付部材（取付部）
４４  水受け部
４５  案内レール
４６  走行レール
４８  取付カップ
４９  ホルダ
【図１】
2015199145.tif 000003
【図２】
2015199145.tif 000004
【図３】
2015199145.tif 000005
【図４】
2015199145.tif 000006
【図５】
2015199145.tif 000007
【図６】
2015199145.tif 000008
【図７】
2015199145.tif 000009
【図８】
2015199145.tif 000010
【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
配水管をそれぞれ連結可能な入水用及び出水用のジョイントを有する浄水器用カートリッジを保持するためのカートリッジホルダーであって、
前記浄水器用カートリッジを保持する保持部材と、
前記保持部材によって前記浄水器用カートリッジを保持した状態で、前記配水管と前記カートリッジとを連結している前記ジョイント近傍における前記配水管を係止させる配水管係止部と、
前記保持部材を取り付けるための取付部と、を有するカートリッジホルダー。
【請求項２】
前記配水管係止部が、切欠状になっている請求項１記載のカートリッジホルダー。
【請求項３】
前記取付部が、前記保持部材に設けられている請求項１又は２に記載のカートリッジホルダー。
【請求項４】
前記配水管係止部が、前記保持部材の一端側と他端側の双方に設けられている請求項１〜３のいずれか一項に記載のカートリッジホルダー。
【請求項５】
前記保持部材には、水受け部が設けられている請求項１〜４のいずれか一項に記載のカートリッジホルダー。
【請求項６】
前記取付部は、前記保持部材に対して着脱可能に設けられている請求項１〜５のいずれか一項に記載のカートリッジホルダー。
【請求項７】
前記取付部は、アンダーシンク内に取り付けられる請求項１〜６のいずれか一項に記載のカートリッジホルダー。
【請求項８】
前記配水管は、ホース及び前記ホースの端部に接続され前記ジョイントに連結可能なカプラーを備える請求項１〜７のいずれか１項に記載のカートリッジホルダー。
【請求項９】
前記配水管係止部は、前記カプラーを係止させる請求項８に記載のカートリッジホルダー。
【請求項１０】
前記配水管係止部は、前記ホースを保持することを特徴とする請求項８に記載のカートリッジホルダー。
【請求項１１】
前記配水管係止部は、前記配水管が前記配水管係止部に対して、前記ジョイントにおける前記配水管の方向に対して垂直に着脱可能に設けられている請求項１〜１０のいずれか１項に記載のカートリッジホルダー。
【請求項１２】
長さ方向（Ｌ）と径方向（ｄ）の比Ｌ／ｄが２〜５である請求項１〜１１のいずれか１項に記載のカートリッジホルダー。
【請求項１３】
前記水受け部は、前記保持部材の一端または両端に着脱可能に設けられている請求項５に記載のカートリッジホルダー。
【請求項１４】
前記保持部材には、前記カートリッジを固定するためのカートリッジ固定バンドが着脱可能に設けられている請求項１〜１３のいずれか１項に記載のカートリッジホルダー。
【請求項１５】
前記配水管係止部は、前記保持部材に対して着脱可能に設けられている請求項１〜１４のいずれか１項に記載のカートリッジホルダー。
【請求項１６】
前記配水管係止部は、前記保持部材に対して、高さ方向の位置を調整可能に設けられてなる請求項１〜１５のいずれか１項に記載のカートリッジホルダー。
【請求項１７】
前記配水管係止部は、前記切欠状の内径が３０〜９５ｍｍの大きさを有する請求項２に記載のカートリッジホルダー。
【請求項１８】
入水用及び出水用のジョイントを有する浄水器用カートリッジと、
前記ジョイントに連結されるカプラーと、
請求項１〜１７のいずれか一項に記載のカートリッジホルダーと、を備え、
前記カートリッジホルダーに前記浄水器用カートリッジが着脱可能に保持されてなるカートリッジ装置。
【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
配水管をそれぞれ連結可能な入水用及び出水用のジョイントを有する浄水器用カートリッジを保持するためのカートリッジホルダーであって、
前記浄水器用カートリッジを保持する保持部材と、
前記保持部材によって前記浄水器用カートリッジを保持した状態で、前記配水管と前記カートリッジとを連結している前記ジョイント近傍における前記配水管を係止させる配水管係止部と、
前記保持部材を取り付けるための取付部と、を有し、
前記配水管係止部が、前記保持部材の一端側と他端側の双方に設けられ、
前記保持部材には、水受け部が設けられているカートリッジホルダー。
【請求項２】
前記配水管係止部が、切欠状になっている請求項１記載のカートリッジホルダー。
【請求項３】
前記取付部が、前記保持部材に設けられている請求項１又は２に記載のカートリッジホルダー。
【請求項４】
前記取付部は、前記保持部材に対して着脱可能に設けられている請求項１〜３のいずれか一項に記載のカートリッジホルダー。
【請求項５】
前記取付部は、アンダーシンク内に取り付けられる請求項１〜４のいずれか一項に記載のカートリッジホルダー。
【請求項６】
前記配水管は、ホース及び前記ホースの端部に接続され前記ジョイントに連結可能なカプラーを備える請求項１〜５のいずれか１項に記載のカートリッジホルダー。
【請求項７】
前記配水管係止部は、前記カプラーを係止させる請求項６に記載のカートリッジホルダー。
【請求項８】
前記配水管係止部は、前記ホースを保持することを特徴とする請求項６に記載のカートリッジホルダー。
【請求項９】
前記配水管係止部は、前記配水管が前記配水管係止部に対して、前記ジョイントにおける前記配水管の方向に対して垂直に着脱可能に設けられている請求項１〜８のいずれか１項に記載のカートリッジホルダー。
【請求項１０】
長さ方向（Ｌ）と径方向（ｄ）の比Ｌ／ｄが２〜５である請求項１〜９のいずれか１項に記載のカートリッジホルダー。
【請求項１１】
前記水受け部は、前記保持部材の一端または両端に着脱可能に設けられている請求項１に記載のカートリッジホルダー。
【請求項１２】
前記保持部材には、前記カートリッジを固定するためのカートリッジ固定バンドが着脱可能に設けられている請求項１〜１１のいずれか１項に記載のカートリッジホルダー。
【請求項１３】
前記配水管係止部は、前記保持部材に対して着脱可能に設けられている請求項１〜１２のいずれか１項に記載のカートリッジホルダー。
【請求項１４】
前記配水管係止部は、前記保持部材に対して、高さ方向の位置を調整可能に設けられてなる請求項１〜１３のいずれか１項に記載のカートリッジホルダー。
【請求項１５】
前記配水管係止部は、前記切欠状の内径が３０〜９５ｍｍの大きさを有する請求項２に記載のカートリッジホルダー。
【請求項１６】
入水用及び出水用のジョイントを有する浄水器用カートリッジと、
前記ジョイントに連結されるカプラーと、
請求項１〜１５のいずれか一項に記載のカートリッジホルダーと、を備え、
前記カートリッジホルダーに前記浄水器用カートリッジが着脱可能に保持されてなるカートリッジ装置。
【国際調査報告】
2015199145.tif 000011
2015199145.tif 000012
2015199145.tif 000013
2015199145.tif 000014